(57)【要約】    【課題】      移動局装置において受信処理を効率良く行って無駄な電力消費を抑えること。    【解決手段】  シグナリング検出部７１が、逆拡散後のＤＰＣＨに含まれるシグナリングから、ＨＳＤＰＡサービングセルの基地局の送信ダイバーシチモードの切替タイミングを検出し、その切替タイミングを制御部７２に知らせ、制御部７２が、その切替タイミングに対応するＨＳ−ＰＤＳＣＨのサブフレームおよびＨＳ−ＳＣＣＨのサブフレームの受信処理を停止するようにＨＳ−ＰＤＳＣＨ受信処理部４０およびＨＳ−ＳＣＣＨ受信処理部５０を制御する。  【選択図】      図１
2005064753.tif 000002
【特許請求の範囲】
【請求項１】
下りデータチャネルの復調、復号、および誤り検出を含む第１受信処理を行う第１受信手段と、
前記第１受信処理に必要な制御情報を伝送する下り制御チャネルの復調および復号を含む第２受信処理を行う第２受信手段と、
前記下りデータチャネルおよび前記下り制御チャネルを送信する基地局装置の送信ダイバーシチモードが切り替わる切替タイミングを検出する検出手段と、
検出された切替タイミングに基づいて、前記第１受信処理および／または前記第２受信処理を停止させる制御手段と、
を具備することを特徴とする移動局装置。
【請求項２】
前記制御手段は、前記切替タイミングがサブフレーム区間内にある下りデータチャネルのサブフレームの前記第１受信処理を停止させる、
ことを特徴とする請求項１記載の移動局装置。
【請求項３】
前記制御手段は、前記第２受信処理を停止させた下り制御チャネルのサブフレームで送信される制御情報を用いて前記第１受信処理が行われる下りデータチャネルのサブフレームの前記第１受信処理を停止させる、
ことを特徴とする請求項１記載の移動局装置。
【請求項４】
前記制御手段は、前記切替タイミングがサブフレーム区間内にある下り制御チャネルのサブフレームの前記第２受信処理を停止させる、
ことを特徴とする請求項１記載の移動局装置。
【請求項５】
前記制御手段は、前記切替タイミングがサブフレーム区間のＮスロット前（Ｎは自然数）のスロット区間内にある下り制御チャネルのサブフレームの前記第２受信処理を停止させる、
ことを特徴とする請求項１記載の移動局装置。
【請求項６】
下りデータチャネルの復調、復号、および誤り検出を含む第１受信処理を行う第１受信工程と、
前記第１受信処理に必要な制御情報を伝送する下り制御チャネルの復調および復号を含む第２受信処理を行う第２受信工程と、
前記下りデータチャネルおよび前記下り制御チャネルを送信する基地局装置の送信ダイバーシチモードが切り替わる切替タイミングを検出する検出工程と、
検出された切替タイミングに基づいて、前記第１受信処理および／または前記第２受信処理を停止させる制御工程と、
を具備することを特徴とする移動局装置における受信方法。
【発明の詳細な説明】
【技術分野】
【０００１】
本発明は、移動局装置および移動局装置における受信方法に関する。
【背景技術】
【０００２】
現在、移動体通信システムにおいては、移動局装置（以下、移動局と省略する）と基地局装置（以下、基地局と省略する）との間のデータ伝送に対するＨＳＤＰＡ（High Speed Downlink Packet Access）技術の適用に関し様々な検討が行われている。ＨＳＤＰＡは、３ＧＰＰ（3rdGeneration Partnership Project）において標準化が進められている技術である。ＨＳＤＰＡでは、適応変調やＨ−ＡＲＱ（Hybrid Automatic Repeat reQuest）、通信先移動局の高速選択、無線回線の状況に応じた伝送パラメータの適応制御等を用いることにより、基地局から移動局への下り回線のスループットの増大を実現している。
【０００３】
ＨＳＤＰＡにおいて使用される主なチャネルとしてＨＳ−ＳＣＣＨ（Shared Control Channel for HS-DSCH, HS-DSCH:High Speed Downlink Shared Channel）、ＨＳ−ＰＤＳＣＨ（High Speed Physical Downlink Shared Channel）およびＨＳ−ＤＰＣＣＨ（Dedicated Physical Control Channel (uplink) for HS-DSCH）等を挙げることができる。ＨＳ−ＳＣＣＨは、３スロットからなるサブフレームで構成される下りの制御チャネルであり、ＨＳ−ＳＣＣＨを介して基地局から移動局へ、ＨＳ−ＰＤＳＣＨの変調方式、マルチコード数、トランスポートブロックサイズ等を示す制御情報が伝送される。ＨＳ−ＰＤＳＣＨは、３スロットからなるサブフレームで構成され、パケットデータを伝送するための下りのデータチャネルである。ＨＳ−ＤＰＣＣＨは、３スロットからなるサブフレームで構成され、ＨＳ−ＰＤＳＣＨに関するフィードバック信号を送信する上りの制御チャネルである。ＨＳ−ＤＰＣＣＨのサブフレームにおいて、第１スロットではＨ−ＡＲＱのＡＣＫ（ACKnowledgment：肯定応答）信号／ＮＡＣＫ（Negative ACKnowledgment：否定応答）信号が送信され、第２スロットおよび第３スロットでは下り回線のＣＱＩ（Channel Quality Indicator：伝送品質報告値）が送信される。Ｈ−ＡＲＱのＡＣＫ信号／ＮＡＣＫ信号については、そのＨＳ−ＤＰＣＣＨに対応するＨＳ−ＰＤＳＣＨの復号結果に誤りがなくＯＫであればＡＣＫ信号が、誤りがありＮＧであればＮＡＣＫ信号がＨＳＤＰＡサービスを提供するセル（ＨＳＤＰＡサービングセル）の基地局に伝送される。また、ＣＱＩは品質参照区間（Reference Measurement Period）における下り回線の伝送品質をＨＳＤＰＡサービングセルの基地局に報告するためのものであり、通常は伝送品質に応じた番号で示され、各番号がその伝送品質において移動局が復調可能な変調方式と符号化率等の組合せを示している。基地局は、このＣＱＩに基づいてスケジューリングを行ってＨＳ−ＰＤＳＣＨの送信先となる移動局を決定し、その移動局に対しＣＱＩに基づいた伝送レートでＨＳ−ＰＤＳＣＨのパケットデータを送信する。なお、これらの各チャネルの構成は例えば非特許文献１に記載されている。
【０００４】
以下、移動局での従来のＨＳ−ＰＤＳＣＨの受信処理について説明する。
（１）移動局は上位レイヤから指示されたＨＳ−ＳＣＣＨセットを受信して監視する。ＨＳ−ＳＣＣＨセットには複数のＨＳ−ＳＣＣＨが含まれており、移動局はこれらのＨＳ−ＳＣＣＨの中に自局宛てのＨＳ−ＳＣＣＨがあるか監視する。ＨＳＤＰＡサービングセルに複数の移動局が存在する場合、ＨＳ−ＳＣＣＨセット内の各ＨＳ−ＳＣＣＨでは、各ＨＳ−ＳＣＣＨがそれぞれどの移動局宛てであるかという情報も符号化されて送信されるので、各移動局は、受信した複数のＨＳ−ＳＣＣＨの中から自局宛てのＨＳ−ＳＣＣＨを検出することができる。
（２）移動局は、ＨＳ−ＳＣＣＨセットの中から自局宛てのＨＳ−ＳＣＣＨを検出した場合、そのＨＳ−ＳＣＣＨで送信される制御情報で示されるＨＳ−ＰＤＳＣＨの受信を開始する。自局宛てのＨＳ−ＳＣＣＨを検出しない場合は、移動局はＨＳ−ＰＤＳＣＨの受信を行わない。なお、制御情報には、そのＨＳ−ＳＣＣＨがどの移動局宛てであるかという情報の他に、ＨＳ−ＰＤＳＣＨの受信に必要な情報としてＨＳ−ＰＤＳＣＨの変調方式、マルチコード数、トランスポートブロックサイズ等が含まれている。
（３）移動局は、受信したＨＳ−ＰＤＳＣＨに対して復調、復号、誤り検出（ＣＲＣ：Cyclic Redundancy Check）を行う。
（４）移動局は、誤り検出の結果、誤りがなくＯＫであればＡＣＫ信号を、誤りがあってＮＧであればＮＡＣＫ信号を誤り検出に対する応答信号としてＨＳＤＰＡサービングセルの基地局へ送信する。このとき移動局は、上位レイヤからのシグナリング（N_acknack_transmit）により指定された回数分のＡＣＫ信号／ＮＡＣＫ信号を繰り返し送信する。なお、ＡＲＱ方式としてＨＳＤＰＡではＨ−ＡＲＱを使用する。以上のような移動局の受信処理については、例えば非特許文献２に記載されている。
【非特許文献１】3GPP TS 25.211 V5.4.0（3rd Generation Partnership Project; Technical Specification Group Radio Access Network; Physical channels and mapping of transport channels onto physical channels(FDD）（Release 5））
【非特許文献２】3GPP TS 25.214 V5.5.0（3rd Generation Partnership Project; Technical Specification Group Radio Access Network; Physical layer procedures(FDD）（Release 5））
【発明の開示】
【発明が解決しようとする課題】
【０００５】
ここでＨＳＤＰＡサービスを受ける移動局に対する上位レイヤからのシグナリングは、ＡＣＫ信号／ＮＡＣＫ信号の繰り返し送信回数の他にも、コンプレストモードのギャップタイミング（開始タイミングおよびギャップの長さ）、ＨＳＤＰＡサービングセルの切替タイミング、ＨＳＤＰＡサービングセルの基地局の送信ダイバーシチモードの切替タイミング等を対象とする。
【０００６】
従来の移動局では、これらのシグナリングを検知するものの、このシグナリングの情報を考慮することなくＨＳ−ＳＣＣＨおよびＨＳ−ＰＤＳＣＨの受信を行っていたため受信処理の効率が悪く、その結果無駄な電力を消費していた。
【０００７】
本発明はかかる点に鑑みてなされたものであり、受信処理を効率良く行って無駄な電力消費を抑えることができる移動局装置および移動局装置における受信方法を提供することを目的とする。
【課題を解決するための手段】
【０００８】
本発明の移動局装置は、下りデータチャネルの復調、復号、および誤り検出を含む第１受信処理を行う第１受信手段と、前記第１受信処理に必要な制御情報を伝送する下り制御チャネルの復調および復号を含む第２受信処理を行う第２受信手段と、前記下りデータチャネルおよび前記下り制御チャネルを送信する基地局装置の送信ダイバーシチモードが切り替わる切替タイミングを検出する検出手段と、検出された切替タイミングに基づいて、前記第１受信処理および／または前記第２受信処理を停止させる制御手段と、を具備する構成を採る。
【０００９】
この構成によれば、基地局装置の送信ダイバーシチモードの切替タイミングに基づいて、第１受信処理や第２受信処理を停止させるため、受信処理を効率良く行うことができる。
【発明の効果】
【００１０】
本発明によれば、移動局装置の無駄な電力消費を抑えることができる。
【発明を実施するための最良の形態】
【００１１】
ＨＳＤＰＡでは、ある移動局に対するＨＳ−ＰＤＳＣＨのサブフレーム区間、ＨＳ−ＳＣＣＨのサブフレーム区間、およびＨＳ−ＳＣＣＨのサブフレーム区間の１スロット前のスロット区間では、その移動局に対してＨＳＤＰＡサービングセルの基地局の送信ダイバーシチモードを変更することが禁止されている。換言すれば、その移動局は、送信ダイバーシチモードが切り替わるタイミングでは、自局に対してそもそもＨＳ−ＰＤＳＣＨおよびＨＳ−ＳＣＣＨが送信されないと判断することができる。そこで本実施の形態に係る移動局では、ＨＳＤＰＡサービングセルの基地局の送信ダイバーシチモードが切り替わるタイミングに対応するサブフレームの受信処理を停止して消費電力の低減を図るようにした。なお、３ＧＰＰでは、送信ダイバーシチモードとして、（１）送信ダイバーシチなし、（２）オープンループモード、（３）クローズドループモードの３つのモードが規定されている。オープンループモードとは移動局からのフィードバック情報を必要としないモードであり、ＳＴＴＤ（Space Time Transmit Diversity）とＴＳＴＤ（Time Switched Transmit Diversity）とがある。クローズドループモードとは移動局からのフィードバック情報に基づいて、基地局のアンテナから送信する信号の位相と振幅とを制御するモードであり、位相のみを制御するモード１と位相と振幅の双方を制御するモード２とがある。このうち、ＨＳＤＰＡでは、ＳＴＴＤとクローズドループモード（モード１）との間で送信ダイバーシチモードの切り替えが行われる。
【００１２】
以下、本発明の一実施の形態に係る移動局について、図面を参照して詳細に説明する。
図１は、本発明の一実施の形態に係る移動局の構成を示すブロック図である。図１に示す移動局において、基地局から送信された信号はアンテナ１０、共用器２０を介して受信部３０にて受信され、受信部３０は、その受信信号に対してダウンコンバート等の所定の無線処理を施す。無線処理後の受信信号はＨＳ−ＰＤＳＣＨ受信処理部４０、ＨＳ−ＳＣＣＨ受信処理部５０、ＣＰＩＣＨ逆拡散部６０、ＤＰＣＨ逆拡散部７０にそれぞれ入力される。受信信号には、ＨＳ−ＰＤＳＣＨ信号、ＨＳ−ＳＣＣＨ信号、ＣＰＩＣＨ信号、ＤＰＣＨ信号が含まれている。
【００１３】
ＨＳ−ＳＣＣＨ受信処理部５０は、逆拡散部５０１、復調部５０２、復号部５０３、判定部５０４を含み、基地局から送信されるＨＳ−ＳＣＣＨに対する受信処理を行う。ＨＳ−ＳＣＣＨでは、複数のＨＳ−ＳＣＣＨが１セット（ＨＳ−ＳＣＣＨセット）となっている。また、各ＨＳ−ＳＣＣＨには、各々のＨＳ−ＳＣＣＨがどの移動局宛てであるかという情報の他に、ＨＳ−ＰＤＳＣＨで伝送されるパケットデータの受信に必要な情報としてＨＳ−ＰＤＳＣＨの変調方式、マルチコード数、トランスポートブロックサイズ等が含まれている制御情報が伝送される。逆拡散部５０１はＨＳ−ＳＣＣＨセットに含まれるそれぞれのＨＳ−ＳＣＣＨに対して所定の拡散コードで逆拡散を行う。逆拡散後の各ＨＳ−ＳＣＣＨは、復調部５０２で復調され、復号部５０３で復号され、復号結果が判定部５０４に入力される。判定部５０４は、入力された復号結果に基づき、ＨＳ−ＳＣＣＨセットに含まれる複数のＨＳ−ＳＣＣＨの中に自局宛てのＨＳ−ＳＣＣＨがあるかどうか判定する。判定の結果、自局宛てのＨＳ−ＳＣＣＨがあれば、判定部５０４は、その自局宛てのＨＳ−ＳＣＣＨの制御情報で示されるマルチコード数等の拡散コード情報を逆拡散部４０１に、変調方式等の変調方式情報を復調部４０２に、トランスポートブロックサイズ等の符号化情報を復号部４０３にそれぞれ送る。
【００１４】
ＨＳ−ＰＤＳＣＨ受信処理部４０は、逆拡散部４０１、復調部４０２、復号部４０３、誤り検出部４０４を含み、基地局から送信されるＨＳ−ＰＤＳＣＨに対する受信処理を行う。ＨＳ−ＰＤＳＣＨでは、情報ビットからなるパケットデータが伝送される。逆拡散部４０１は、判定部５０４から指示された拡散コード情報に基づいて、ＨＳ−ＰＤＳＣＨに対して逆拡散を行う。逆拡散後のＨＳ−ＰＤＳＣＨは、判定部５０４から指示された変調方式情報に基づいて復調部４０２で復調され、判定部５０４から指示された符号化情報に基づいて復号部４０３で復号され、復号結果（パケットデータ）が誤り検出部４０４に入力される。誤り検出部４０４は、入力されたパケットデータに対しＣＲＣ等の誤り検出を行う。そして誤り検出部４０４は、誤り検出結果に基づいてＡＣＫ信号またはＮＡＣＫ信号を作成して送信部８０に入力する。誤り検出部４０４は、パケットデータに誤りがなくＯＫの場合はＡＣＫ信号を、誤りがありＮＧの場合はＮＡＣＫ信号を誤り検出に対する応答信号として作成し、送信部８０に入力する。送信部８０は、入力されたＡＣＫ信号／ＮＡＣＫ信号をＨＳ−ＤＰＣＣＨを介して基地局へ送信する。
【００１５】
ＣＰＩＣＨ逆拡散部６０は、ＣＰＩＣＨに対して所定の拡散コードで逆拡散を行う。ＣＰＩＣＨではパイロット信号が伝送される。逆拡散後のＣＰＩＣＨは、ＳＩＲ測定部６１に入力される。ＳＩＲ測定部６１は、パイロット信号の受信品質としてＳＩＲ（Signal to Interference Ratio）を測定し、測定したＳＩＲ値をＣＱＩ選択部６２に入力する。ＣＱＩ選択部６２は、複数のＳＩＲ値に複数のＣＱＩが対応づけて設定されているテーブルを有し、そのテーブルを参照して、ＳＩＲ測定部６１から入力されたＳＩＲ値に対応するＣＱＩを選択し、選択したＣＱＩを送信部８０に入力する。パイロット信号の受信ＳＩＲ値は下り回線の伝送品質を表しているため、ＳＩＲ値が大きいほど高い伝送レートに対応するＣＱＩが選択される。送信部８０は、入力されたＣＱＩをＨＳ−ＤＰＣＣＨを介して基地局へ送信する。
【００１６】
ＤＰＣＨ逆拡散部７０は、ＤＰＣＨに対して所定の拡散コードで逆拡散を行う。ＤＰＣＨでは、上位レイヤからのシグナリングが伝送される。このシグナリングで移動局は、ＡＣＫ信号／ＮＡＣＫ信号の繰り返し送信回数、上り回線のコンプレストモードのギャップタイミング（開始タイミングおよびギャップの長さ）、ＨＳＤＰＡサービングセルの切替タイミング、ＨＳＤＰＡサービングセルの基地局の送信ダイバーシチモードの切替タイミング等を通知される。逆拡散後のＤＰＣＨはシグナリング検出部７１に入力され、シグナリング検出部７１は、逆拡散後のＤＰＣＨに含まれる上記シグナリングから、ＨＳＤＰＡサービングセルの基地局の送信ダイバーシチモードの切替タイミングを検出し、そのタイミングを制御部７２に知らせる。
【００１７】
制御部７２は、シグナリング検出部７１で検出された送信ダイバーシチモードの切替タイミングに応じて特定のサブフレームの受信処理を停止させる。具体的には、以下のようにする。
【００１８】
図２は、本発明の一実施の形態に係る移動局における各チャネルの受信タイミングを示す図である。ＨＳ−ＳＣＣＨのサブフレームおよびＨＳ−ＰＤＳＣＨのサブフレームはそれぞれ３スロットで構成される。ＨＳ−ＰＤＳＣＨとそのＨＳ−ＰＤＳＣＨに対応するＨＳ−ＳＣＣＨ（そのＨＳ−ＰＤＳＣＨの受信に必要な制御情報を伝送するＨＳ−ＳＣＣＨ）との関係は、ＨＳ−ＰＤＳＣＨのサブフレームの先頭スロットとＨＳ−ＳＣＣＨのサブフレームの最終スロットとが重なる。つまり、ＨＳ−ＳＣＣＨのサブフレームの受信終了タイミング１スロット前のタイミングで、そのＨＳ−ＳＣＣＨに対応するＨＳ−ＰＤＳＣＨのサブフレームの受信が開始される。
【００１９】
今、シグナリング検出部７１によって、ＨＳＤＰＡサービングセルの基地局からの下りＤＰＣＨに対する送信ダイバーシチモードの切替タイミングが図２に示すようなタイミングにあることが検出されたとする。この場合、送信ダイバーシチモードの切替タイミングは、図２に示すＨＳ−ＳＣＣＨのサブフレーム１の最終スロットと重なり、サブフレーム１のサブフレーム区間内にあるため、制御部７２は、このサブフレーム区間では自局にＨＳ−ＳＣＣＨが送信されないと判断し、サブフレーム１に対する受信処理を停止するようにＨＳ−ＳＣＣＨ受信処理部５０を制御する。すなわち、制御部７２は、送信ダイバーシチモードの切替タイミングがサブフレーム区間内にあるＨＳ−ＳＣＣＨのサブフレームの受信処理を停止させる。
【００２０】
また、送信ダイバーシチモードの切替タイミングは、図２に示すＨＳ−ＰＤＳＣＨのサブフレーム３の先頭スロットと重なり、サブフレーム３のサブフレーム区間内にあるため、制御部７２は、このサブフレーム区間では自局にＨＳ−ＰＤＳＣＨが送信されないと判断し、サブフレーム３に対する受信処理を停止するようにＨＳ−ＰＤＳＣＨ受信処理部４０を制御する。すなわち、制御部７２は、送信ダイバーシチモードの切替タイミングがサブフレーム区間内にあるＨＳ−ＰＤＳＣＨのサブフレームの受信処理を停止させる。
【００２１】
また、送信ダイバーシチモードの切替タイミングは、図２に示すＨＳ−ＳＣＣＨのサブフレーム２のサブフレーム区間の１スロット前のスロット（サブフレーム１の最終スロット）と重なるため、制御部７２は、サブフレーム２のサブフレーム区間では自局にＨＳ−ＳＣＣＨが送信されないと判断し、サブフレーム２に対する受信処理を停止するようにＨＳ−ＳＣＣＨ受信処理部５０を制御する。すなわち、制御部７２は、送信ダイバーシチモードの切替タイミングがサブフレーム区間の１スロット前のスロット区間内にあるＨＳ−ＳＣＣＨのサブフレームの受信処理を停止させる。なお、１スロット前のスロット区間に限らず、ＨＳ−ＳＣＣＨのサブフレーム区間のＮスロット前（Ｎは自然数）のスロット区間で送信ダイバーシチモードを変更することが禁止されている場合は、制御部７２は、送信ダイバーシチモードの切替タイミングがサブフレーム区間のＮスロット前のスロット区間内にあるＨＳ−ＳＣＣＨのサブフレームの受信処理を停止させるようにする。
【００２２】
また、制御部７２は、サブフレーム２の受信処理を停止したことにより、サブフレーム２で伝送されるはずであった制御情報、すなわち、図２に示すＨＳ−ＰＤＳＣＨのサブフレーム４の受信に必要な制御情報は送信されないと判断し、その制御情報がなければ受信処理を行えないサブフレーム４に対する受信処理を停止するようにＨＳ−ＰＤＳＣＨ受信処理部４０を制御する。すなわち、制御部７２は、受信処理を停止させたＨＳ−ＳＣＣＨのサブフレームで送信される制御情報を用いて受信処理が行われるＨＳ−ＰＤＳＣＨのサブフレームの受信処理も停止させる。
【００２３】
なお、受信処理の停止にあたっては、ＨＳ−ＰＤＳＣＨ受信処理部４０において逆拡散、復調、復号、誤り検出のすべての処理を停止しても良いし、いずれか１つまたは複数を停止してもよい。同様に、ＨＳ−ＳＣＣＨ受信処理部５０において逆拡散、復調、復号、判定のすべての処理を停止しても良いし、いずれか１つまたは複数を停止してもよい。さらに、上記構成では、ＨＳ−ＰＤＳＣＨの受信処理およびＨＳ−ＳＣＣＨの受信処理の双方を停止させるようにしたが、どちらか一方だけを停止させるようにしてもよい。
【００２４】
次いで、本実施の形態に係る移動局の動作フローについて図３を用いて説明する。ＨＳＤＰＡが開始されると、移動局はＨＳＤＰＡが終了するまでの間、ステップ（以下ＳＴと省略する）１０からＳＴ２０までの一連の処理（ＨＳ−ＳＣＣＨ監視ループ）を繰り返す。ＨＳ−ＳＣＣＨ監視ループでは、移動局は上位レイヤから指示されたＨＳ−ＳＣＣＨセットを受信して監視する。すなわち、移動局は、ＨＳ−ＳＣＣＨセットに含まれる複数のＨＳ−ＳＣＣＨを復号し（ＳＴ３１）、これらのＨＳ−ＳＣＣＨの中に自局宛てのＨＳ−ＳＣＣＨがあるかどうか監視する（ＳＴ３２）。そして、自局宛てのＨＳ−ＳＣＣＨがない場合（ＳＴ３２：ＮＯの場合）はＳＴ２０に進みＨＳ−ＳＣＣＨの監視を引き続き行う。一方、自局宛てのＨＳ−ＳＣＣＨがある場合（ＳＴ３２：ＹＥＳの場合）は、その自局宛てのＨＳ−ＳＣＣＨで伝送された制御情報に従ってＨＳ−ＰＤＳＣＨを復号し（ＳＴ３３）、復号結果のパケットデータに対してＣＲＣを行う（ＳＴ３４）。そして、ＣＲＣ結果に基づいて作成したＡＣＫ信号またはＮＡＣＫ信号をＨＳＰＤＡサービングセルの基地局に送信する（ＳＴ４０）。なお、図３のフロー図ではＳＴ３１〜ＳＴ３４でＨＳ−ＳＣＣＨおよびＨＳ−ＰＤＳＣＨの受信処理（ＳＴ３０）が構成されている。
【００２５】
一方、移動局は、ＳＴ３０の処理と並行して、ＳＴ５０およびＳＴ６０の処理を行う。すなわち、上位レイヤからのシグナリングによって送信ダイバーシチモードの切替タイミングを検出する（ＳＴ５０）。そして、上記のようにして、その切替タイミングに対応するサブフレームに対するＳＴ３０の一連の受信処理を停止する（ＳＴ６０）。受信処理停止後、ＳＴ２０に進みＨＳ−ＳＣＣＨの監視を引き続き行う。
【００２６】
このように、本実施の形態によれば、ＨＳ−ＳＣＣＨおよびＨＳ−ＰＤＳＣＨの無駄な受信処理を停止するため、移動局の無駄な電力消費を抑えて消費電力を削減することができる。
【産業上の利用可能性】
【００２７】
本発明は、Ｗ−ＣＤＭＡ方式等の移動体通信システムにおいて使用される移動局装置に好適である。
【図面の簡単な説明】
【００２８】
【図１】本発明の一実施の形態に係る移動局の構成を示すブロック図
【図２】本発明の一実施の形態に係る移動局における各チャネルの受信タイミングを示す図
【図３】本発明の一実施の形態に係る移動局の動作フロー図
【符号の説明】
【００２９】
１０  アンテナ
２０  共用器
３０  受信部
４０  ＨＳ−ＰＤＳＣＨ受信処理部
５０  ＨＳ−ＳＣＣＨ受信処理部
６０  ＣＰＩＣＨ逆拡散部
６１  ＳＩＲ測定部
６２  ＣＱＩ選択部
７０  ＤＰＣＨ逆拡散部
７１  シグナリング検出部
７２  制御部
８０  送信部
４０１  逆拡散部
４０２  復調部
４０３  復号部
４０４  誤り検出部
５０１  逆拡散部
５０２  復調部
５０３  復号部
５０４  判定部
【図１】
2005064753.tif 000003
【図２】
2005064753.tif 000004
【図３】
2005064753.tif 000005